(57)【要約】  タブ（１２）及び選択的に着脱可能な蓋（１４）を含む交換カートリッジコンテナを提供する。タブは、サイドパネル（２４）に取り付けられたベースパネルを含む。ベースパネル（２２）及びサイドパネル（２４）は、内表面（２８，４４）及び外表面（３０，４６）をそれぞれ有する。キャビティ（２６）は、ベースパネル及びサイドパネル（２４）の内表面（２８，４４）と隣接して形成される。選択的に着脱可能な蓋は、タブ（１２）に取り付けられ、タブとシールを形成する。
2005524506.tif 000002
【特許請求の範囲】
【請求項１】
かみそり組立品の交換カートリッジ用のコンテナであって、
ベースパネル及びサイドパネルを有するタブであって、前記ベースパネルが内表面及び外表面を有し、前記サイドパネルが内表面及び外表面を有し、前記ベースパネル及び前記サイドパネルの前記内表面に隣接してキャビティが形成されたタブと、
前記タブを取り付け、前記タブとシールを形成する脱着可能な蓋と、
前記キャビティ内に前記交換カートリッジを設置する一つ又はそれ以上の第１の設置形態と、
を有するコンテナ。
【請求項２】
前記キャビティ内に前記交換カートリッジを設置する第１の設置形態は、前記ベースパネルから上面までの高さをそれぞれ有する複数の台を含む請求項１記載のコンテナ。
【請求項３】
前記台の高さは、前記交換カートリッジが前記キャビティ内に配置されたときに前記交換カートリッジが前記ベースパネルから間隔を置くために十分に大きい請求項２記載のコンテナ。
【請求項４】
前記タブ内に前記交換カートリッジを固定する機構をさらに有する請求項２記載のコンテナ。
【請求項５】
前記タブ内に前記交換カートリッジを固定する機構は、前記交換カートリッジに取り付けられた雌雄嵌合対の第２片と結合する雌雄嵌合対の第１片を含む請求項４記載のコンテナ。
【請求項６】
前記ベースパネルから延在する隆起部をさらに有する請求項４記載のコンテナ。
【請求項７】
前記隆起部は、前記タブ内に前記交換カートリッジのシェービング補助体部を設置する一つ又はそれ以上の設置表面を含む請求項６記載のコンテナ。
【請求項８】
前記交換カートリッジのかみそりカートリッジ部分を前記隆起部に選択的に取り付ける、前記隆起部に取り付けられた一つ又はそれ以上のクリップをさらに有する請求項７記載のコンテナ。
【請求項９】
前記隆起部は、前記かみそり組立品に対する前記かみそりカートリッジの取り付けを容易にする所定の位置に前記かみそりカートリッジ部分を設置する請求項８記載のコンテナ。
【請求項１０】
前記蓋は、前記サイドパネルに取り付けられた雌雄嵌合対の第２片と結合する雌雄嵌合対の第１片を有し、前記蓋が前記タブに取り付けられたときに、前記第１片又は前記第２片の一つが前記第１片又は前記第２片のもう一方内で受けられる請求項９記載のコンテナ。
【請求項１１】
前記蓋は、前記キャビティ内に前記交換カートリッジを設置する一つ又はそれ以上の第２の設置形態を有する請求項１０記載のコンテナ。
【請求項１２】
かみそり組立品の交換カートリッジ用のコンテナであって、
ベースパネル及びサイドパネルを有するタブであって、前記ベースパネルが内表面及び外表面を有し、前記サイドパネルが内表面及び外表面を有し、前記ベースパネル及び前記サイドパネルの前記内表面に隣接してキャビティが形成されたタブと、
前記タブ内に前記交換カートリッジを固定する機構と、
前記タブに取り付ける脱着可能な蓋と、
を有するコンテナ。
【請求項１３】
前記タブの前記サイドパネルは弾性的に可撓性であり、前記サイドパネルの所定量の撓みにより、前記タブ内に前記交換カートリッジを固定する機構から前記交換カートリッジを解放する請求項１２記載のコンテナ。
【請求項１４】
前記タブ内に前記交換カートリッジを固定する前記機構は、前記交換カートリッジに取り付けられた雌雄嵌合対の第２片と結合する少なくとも一つの雌雄嵌合対の第１片を含む請求項１３記載のコンテナ。
【請求項１５】
前記キャビティ内に前記交換カートリッジを設置する複数の設置形態は、前記ベースパネルから上面までの高さをそれぞれ有する複数の台を含む請求項１４記載のコンテナ。
【請求項１６】
前記台の高さは、前記交換カートリッジが前記キャビティ内に配置されたときに、前記交換カートリッジが前記ベースパネルから間隔を置くために十分に大きい請求項１５記載のコンテナ。
【請求項１７】
前記ベースパネルから延在する隆起部をさらに有する請求項１２記載のコンテナ。
【請求項１８】
前記隆起部は、前記タブ内に前記交換カートリッジのシェービング補助体部を設置する一つ又はそれ以上の設置表面を含む請求項１７記載のコンテナ。
【請求項１９】
前記隆起部に対して前記交換カートリッジのかみそりカートリッジ部を選択的に取り付ける、前記隆起部に取り付けられた一つ又はそれ以上のクリップをさらに有する請求項１８記載のコンテナ。
【請求項２０】
前記隆起部は、前記かみそり組立品への前記かみそりカートリッジの取り付けを容易にする所定の位置に前記かみそりカートリッジ部を設置する請求項１９記載のコンテナ。
【請求項２１】
かみそり組立品の交換カートリッジ用のコンテナであって、
内表面及び外表面を有するベースパネルと、
内表面及び外表面を有するサイドパネルと、
キャビティ内に前記交換カートリッジを固定する機構と、
を有し、
前記ベースパネル及び前記サイドパネルの内表面と隣接してキャビティが形成されたコンテナ。
【請求項２２】
前記キャビティ内に前記交換カートリッジを設置する一つ又はそれ以上の設置形態をさらに有する請求項２１記載のコンテナ。
【請求項２３】
前記キャビティ内に前記交換カートリッジを設置する設置形態は、前記ベースパネルから上面までの高さをそれぞれ有する複数の台を含む請求項２２記載のコンテナ。
【請求項２４】
前記台の高さは、前記交換カートリッジが前記キャビティ内に設置されたときに、前記交換カートリッジが前記ベースパネルから間隔を置くために十分に大きい請求項２３記載のコンテナ。
【請求項２５】
前記コンテナに関連する所定の向きでない限り、前記コンテナへの蓋の取り付けを妨げる形態を含む蓋をさらに有する請求項２１記載のコンテナ。
【請求項２６】
前記コンテナは、かみそり組立品への前記コンテナの取り付けを許す形状であり、それにより前記コンテナをかみそり組立品カバーとして機能するようにする請求項２１記載のコンテナ。
【請求項２７】
前記キャビティ上方に前記コンテナに接着されたシート材からなる蓋を含む請求項２６記載のコンテナ。
【請求項２８】
前記キャビティ上方に前記コンテナに接着されたシート材からなる蓋を含む請求項２１記載のコンテナ。
【請求項２９】
かみそり組立品の交換カートリッジ及びかみそり組立品カバー用のコンテナであって、
内表面及び外表面を有するベースパネルと、
内表面及び外表面を有するサイドパネルと、
キャビティ内に前記カバーを設置する一つ又はそれ以上の設置形態と、
タブに取り付けられた脱着可能な蓋と、
を有し、
前記ベースパネル及び前記サイドパネルと隣接してキャビティが形成され、前記コンテナは、前記交換カートリッジが前記カバー内に受けられたときに、前記交換カートリッジ及び前記カバーを含むような大きさに作られるコンテナ。
【請求項３０】
前記タブ内に前記カバーを固定する機構をさらに有する請求項２９記載のコンテナ。
【請求項３１】
前記タブ内に前記交換カートリッジを固定する機構をさらに有する請求項２９記載のコンテナ。
【発明の詳細な説明】
【技術分野】
【０００１】
本発明は、概して交換可能なカートリッジを使用するシェービングデバイスシェービングに関し、特にそのような交換カートリッジ用のコンテナに関する。
【背景技術】
【０００２】
ウェットなシェービング環境で使用されるかみそり組立品は、かみそりカートリッジの近傍に通常設置されるシェービング補助材料の本体を含む。シェービング補助材料は、これらに限定されないが、シェービングプロセスを増強する、潤滑剤、ドラグ抵抗低減剤、脱毛剤、洗浄剤、薬剤などを含む。シェービング補助体やかみそりカートリッジを周期的に交換することが望ましく、しばしば両方が一緒に交換される。シェービング補助材料は、たいていの場合、漏れてシェービング補助体に有害な影響を及ぼし得る一つ又はそれ以上の揮発性成分（例えば、水分、アルコール、香水など）を含む。さらに、シェービング補助材料は、相対的に言って、それほどの機械的強度を有しない。その結果、シェービング補助体は、消費者に搬送する間のダメージに対して影響を受け易い。
【０００３】
したがって、単独もしくはかみそりカートリッジと組み合わせたシェービング補助体を含むかみそり組立品用の交換カートリッジを収容することができるコンテナに対する要求がある。
【発明の開示】
【０００４】
したがって、本発明の目的は、かみそり組立品の交換カートリッジ用のコンテナを提供することである。また、交換カートリッジの取り付けを容易にし、消費者のマーケットプレイスで使用するために好適である、交換カートリッジを保護する交換カートリッジコンテナに対する要求もある。
【０００５】
本発明によれば、タブ及び選択的に脱着可能な蓋を含む交換カートリッジコンテナが提供される。タブは、互いに取り付けられたベースパネル及びサイドパネルを含む。ベースパネル及びサイドパネルは、内表面及び外表面をそれぞれ有する。ベースパネル及びサイドパネルの内表面と隣接してキャビティが形成されている。選択的に脱着可能な蓋はタブに取り付けられ、タブとシールを形成する。
【０００６】
本発明の利点は、コンテナが交換カートリッジを保護することである。交換カートリッジは通常、一つ又はそれ以上の揮発性成分を含むシェービング補助体を含む。本交換カートリッジコンテナは、コンテナへの漏入又はコンテナからの漏洩を制限することによりシェービング補助体を保護し、それにより揮発性成分の望ましくないリークを防止する。本コンテナはまた、交換カートリッジの全部ではないがほとんどのまわりにエアギャップが設けられるような位置で蓋内に交換カートリッジを設置することにより交換カートリッジを保護する。
【０００７】
本発明の他の利点は、コンテナがかみそり組立品への交換カートリッジの取り付けを容易にすることである。交換カートリッジが単独で含むか、かみそりカートリッジと組み合わせて含むか、かみそりカートリッジと、かみそりカートリッジ及びシェービング補助体を連結する部材とを組み合わせて含むかどうかにかかわりなく、コンテナは、かみそり組立品にシェービング補助体、かみそりカートリッジ及び／又は連結部材を取り付けることを可能にするように、交換カートリッジを確実に適切な場所に配置する。
【発明を実施するための最良の形態】
【０００８】
これら並びに本発明の他の目的、形態及び利点は、本発明の詳細な説明を考慮して明らかになるであろう。
【０００９】
図１，２及び８を参照して、タブ１２及び蓋１４を含む交換カートリッジコンテナ１０は、かみそり組立品１７用の交換カートリッジ１６を収容するサイズに作られている。コンテナ１０は、一つ又はそれ以上のシェービング補助材料（例えば、潤滑剤、ドラグ抵抗低減剤、脱毛剤、洗浄剤、薬剤など）からなるシェービング補助体１８をそれぞれ含む、種々の異なる交換カートリッジ１６を収容するように構成され得る。多くの実施の形態において、交換カートリッジ１６はまた、かみそりカートリッジ２０を含む。さらに他の実施の形態において、交換カートリッジ１６は、シェービング補助体１８及びかみそりカートリッジ２０を共に連結する一つ又はそれ以上の部材（図８参照）を含む。本コンテナ１０に特に良く適合する交換カートリッジ１６の例は、かみそりカートリッジ２０を受ける中央開口部又はポケット１９を有する楕円形シェービング補助体１８を含むものである。楕円形シェービング補助体１８は、シェービング補助材料をかみそりカートリッジ２０の前方、後方及び側方に付けることを容易にする。米国仮出願番号６０／３７５，８４４及び６０／３７５，８４３は、そのようなかみそり組立品及び交換カートリッジを開示する。それらの開示内容は参照によりここに含める。
【００１０】
図１−４、６及び８を参照して、タブ１２は、互いに取り付けられたもしくは一緒に形成された、ベースパネル２２及びサイドパネル２４を含む。ベースパネル２２は、内表面２８及び外表面３０を有する。サイドパネル２４は、内表面４４及び外表面４６を有し、一つ又はそれ以上のセクションを有するように描写され得る。サイドパネル２４のセクションの実際の数は、タブ１２の形状に依存する。例えば、円筒状タブ１２は、１つのサイドパネル２４セクションを有するように描写され得る。矩形タブ１２は、４つのサイドパネル２４セクションを有するように描写され得る。例えば、図面において示される実施の形態は、２つのペアのサイドパネルセクション、すなわち第１のサイドパネルセクションのペア３２，３４と、第２のサイドパネルセクション３６，３８を有するように描写され得る。図３及び図６において分かるように、第１のサイドパネルセクション３２，３４は、第２のサイドパネルセクション３６，３８間に延在する。その逆も同様である。キャビティ２６は、ベースパネル２２及びサイドパネル２４の内表面２８，４４と隣接して形成されている。パネル２２，２４の相対的な配置は、当面の用途を満足するように選択され得る。例えば、図１は、蓋１４に対して実質的に平行に配置されたベースパネル２２を示す。図２は、対照的に、交換カートリッジ１６の表面に実質的に平行に配置されたベースパネル２２を示す。
【００１１】
タブ１２は、好ましくはさらにタブキャビティ２６内で交換カートリッジ１６を設置するための一つ又はそれ以上の設置形態を含む。設置形態４８は、交換カートリッジ１６を所望の位置に維持することによりかみそり組立品に交換カートリッジ１６を取り付けることを容易にする。さらに、設置形態４８はまた、タブ１２のベースパネル２２及びサイドパネル２４からシェービング補助体１８を離す。図３，４，６に示す実施の形態においては、台５０の形の設置形態４８が、タブ１２のそれぞれのコーナーに設置されている。それぞれの台のベースパネル２２から台５０の上面２３までの高さ５２は、浸食されてないシェービング補助体１８の相対的な高さ５４よりも高く、それによりシェービング補助体１８とベースパネル２２の内表面２８との間の空間を作る。台でない設置形態４８を代わりに使用しても良い。
【００１２】
図１−４，６，７に示す実施の形態において、タブ１２はまた、ベースパネル２２から延在する、中心に位置する隆起部５６を含む。シェービング補助体１８がタブ１２内に配置されるとき、隆起部５６は、シェービング補助体１８の中央開口／ポケット１９内で受ける複数の設置表面５８を含む。上述した設置形態４８のように、設置表面５８は、タブ１２内に交換カートリッジ１６を設置し、場合によっては、隆起部５６とシェービング補助体１８との間にエアギャップを与える。かみそりカートリッジ２０を含む特定の交換カートリッジ１６を収容するために、ベースパネル２２からの隆起部５６の高さ６０は、かみそり組立品にかみそりカートリッジ２０を取り付けることを容易にする位置にかみそりカートリッジ２０を設置するように選択される。隆起部５６にかみそりカートリッジ２０を選択的に固定するように、一つ又はそれ以上のクリップ６２が含まれ得る。交換カートリッジ１６がシェービング補助体１８及びかみそりカートリッジ２０を共に連結する一つ又はそれ以上の部材を含む実施の形態においては、隆起部５６は、削除されるか、かみそりカートリッジ２０及び一つ又はそれ以上の部材を収容する大きさに作られる。例えば、図８は、シェービング補助体１８及びかみそりカートリッジを連結する連結部材を含む交換カートリッジを受けるようにコンテナが構成されている。図８に示すコンテナの実施の形態は、隆起部５６を含まない。
【００１３】
タブ１２は、好ましくはタブ１２内に交換カートリッジ１６を固定する機構６４をさらに含む。機構６４は、第２のサイドパネルセクション３６，３８の一つに取り付けられた台６８とキャップ７０との間に形成されたスロット６６を含む。スロット６６は、シェービング補助体１８から外に延在するタブ７２（図１，２参照）を受ける大きさに作られている。典型的な実施の形態において、タブ１２は、これに限定されないが、ポリエチレン又はポリプロピレンを含む可撓性熱可塑性樹脂からなる。第１のサイドパネルセクション３２，３４に与えられる圧力（図３の矢印７４）は、第２のサイドパネル部３６，３８を外側に撓ませる（図３の矢印７６）。第２のサイドパネルセクション３６，３８が外側に撓むとき、タブ７２がスロット６６から外れ、これによりタブ１２から交換カートリッジが解放される。上述と同様のスロット６６は、必要に応じて、第２のサイドパネルセクション３６，３８の一方又は両方に形成され得る。タブ１２内に交換カートリッジ１６を固定する機構６４は、上述した実施の形態に限定されない。例えば、スロットは、交換カートリッジ及びサイドパネル２４に取り付けられたタブに形成され得る。
【００１４】
ここで、図１，２，５を参照して、選択的に脱着可能な蓋１４は、パネル７８と、タブ１２にそれを取り付けること、又はその逆を可能にする機構形態を含む。パネル７８は、内表面８０及び外表面８２を含む。図１，２，５に示す実施の形態において、機構形態は、パネル７８の内表面８０から延在するフランジ８４である。フランジ８４は、タブ１２の形状と嵌め合う形態を有する。例えば、フランジ８４は、サイドパネル２４内に嵌め合う。その逆も同様である。蓋１４は、好ましくはタブ１２への蓋１４の取り付け又はタブ１２からの蓋１４の取り外しの間に押圧され得る、外側に延在する一つ又はそれ以上の耳８６を含む。かみそりカートリッジ２０及び／又は一つ又はそれ以上の連結部材を含む交換カートリッジを収容するようにコンテナ１０が構成されたいくつかの実施の形態において、蓋１４は、コンテナ１０のキャビティ２６内の所定の位置にかみそりカートリッジ２０（及び／又は連結部材）を維持するように動作可能である一つ又はそれ以上の設置形態８８をさらに含む。図５に示す設置形態８８は、例えば、隆起部５６と蓋１４との間にかみそりカートリッジ２０を確実に保持するようにかみそりカートリッジ２０の形状と嵌め合う。設置形態８８はまた、蓋１４が意図する向きでタブ１２に取り付けられることを保証する蓋１４の位置に取り付けられ得る。すなわち、蓋１４は、適正な向きから１８０°変わるならば、形態８８は、蓋１４とタブ１２との間への取り付けを妨げる。典型的な実施の形態において示される以外の蓋１４を代わりに使用しても良い。例えば、図７に示されるように、材料（例えば、熱可塑性樹脂又は金属箔）のシート９０からなる蓋は、キャビティ２６上方でタブ１２に接着される。交換カートリッジ１６に対するアクセスは、タブ１２から材料蓋９０を剥離することにより達成される。
【００１５】
蓋１４がタブ１２に取り付けられているとき、シール９２は、キャビティ２６内又はキャビティ２６外へのガスの流れを制限するために使用される。図１，２に示す実施の形態において、蓋フランジ８４の外表面９６の回りに延在する隆起ビード９４は、サイドパネルの内表面４４の回りに延在する嵌合アーク形状のチャネル９８内で受けられる。組み立てるとき、ビード９４は、僅かに干渉してすり合わせてチャネル９８内で受けられる。嵌合ビード９４とチャネル９８との間のすり合わせは、シール機能を与え、蓋１４とタブ１２とを一緒に固定する。限定はされないが、予想される環境条件下で所定の漏れを可能にするようにタブ１２又は蓋１４の一つ又は両方に穿孔又は通気性材料を使用する構成を含む、代わりのシール構成を使用しても良い。蓋１４及びタブ１２が互いにシールを形成する程度は、当面の用途に適合するように変えられ得る。いくつかの例において、小さすぎるガスの漏れは、ある状況、例えばバクテリア及び／又はカビの成長下で、シェービング補助体１８に悪い影響を与え得る。一方、過度の漏れは、シェービング補助体１８からの揮発成分、例えば水分、香水などの漏れを容易にし得る。したがって、シール９２の漏れは、当面の用途に反映するように選択され、特定のシェービング補助材料を用いて作り出された実験的なデータから決定され得る。
【００１６】
図９，１０を参照して、本発明の実施の形態において、コンテナ１０は、かみそり組立品１７用の交換カートリッジ１６及びカバー１００の両方を受ける大きさに作られている。カバー１００は、かみそり組立品１７のハンドル１０１に取り付けられる。かみそり組立品カバー１００の例は、米国仮特許出願番号６０／３７５，８４４（出願人番号ＰＣ２５２５２ＰＲＯＶ２，ＰＣ２５２５３）で分かる。この開示内容は参照によりここに含める。カバー１００は、シェービング補助体１８及びかみそりカートリッジ２０を含む、交換カートリッジの少なくとも一部を囲うような形である。この実施の形態において、タブ１２内に交換カートリッジ１６を設置する上述した設置形態は、タブ１２内にカバー１００を設置するために使用され得る。カバー１００内の設置形態は、交換カートリッジ１６を設置するために使用され得る。タブ１２内にカバー１００を固定する機構１０２は、例えば、タブ１２内に交換カートリッジ１６を固定する上述した手段６４と同様のものを含み得る。
【００１７】
いくつかの実施の形態において、本コンテナ１０のタブ１２部分が、コンテナ１０及びかみそり組立品カバー１００の両方に有用であるカバー１００のような形を有する。そのような場合において、蓋１４は、上述したものと同じ又は同種の方法でタブ１２／カバー１００と嵌合する形である。
【００１８】
この発明は、それらの詳細な実施の形態に関して示され記述されているが、それらの形態及び詳細における種々の変更は、本発明の精神及び範囲を逸脱しないでなされ得ることは当業者により理解され得るであろう。例えば、本発明のコンテナ１０は、タブ１２及び蓋１４を有するような上述したものである。いくつかの用途において、コンテナ１０は、タブ部のみを含んでいても良い。
【図面の簡単な説明】
【００１９】
【図１】図１は、コンテナ内に配置された交換カートリッジを有する本発明のコンテナの実施の形態の概略断面図である。
【図２】図２は、コンテナ内に配置された交換カートリッジを有する本発明のコンテナの実施の形態の概略断面図である。
【図３】図３は、本コンテナのタブの斜視図である。
【図４】図４は、本コンテナのタブの断面図である。
【図５】図５は、本コンテナの蓋の斜視図である。
【図６】図６は、本コンテナのタブの平面図である。
【図７】図７は、本コンテナの実施の形態の断面図である。
【図８】図８は、コンテナ内に配置された交換カートリッジを有する本発明のコンテナの実施の形態の概略断面図である。
【図９】図９は、コンテナ内に配置された交換カートリッジ及びカバーを有する本発明のコンテナの実施の形態の概略断面図である。
【図１０】図１０は、かみそり組立品カバーを含むかみそり組立品の概略図である。
【図１】
2005524506.tif 000003
【図２】
2005524506.tif 000004
【図３】
2005524506.tif 000005
【図４】
2005524506.tif 000006
【図５】
2005524506.tif 000007
【図６】
2005524506.tif 000008
【図７】
2005524506.tif 000009
【図８】
2005524506.tif 000010
【図９】
2005524506.tif 000011
【図１０】
2005524506.tif 000012
【国際調査報告】
2005524506.tif 000013
2005524506.tif 000014
2005524506.tif 000015
2005524506.tif 000016